(57)【要約】【課題】  今までにない新規な形態であって、優れた販促効果を発揮する缶用広告表示体を提供すること。【解決手段】本考案の缶用広告表示体１０は、缶体Ｃの上蓋部Ｃａを覆う広告表示紙１１と、当該広告表示紙１１に両端で連接し缶体の上縁部外周を覆う帯紙１２とからなる紙製広告表示体であって、該帯紙１２は缶体Ｃに嵌め込みした際に巻締め部Ｃｍ下縁に係止する複数の係止片を有することを特徴とする。また、缶体Ｃの上蓋部Ｃａを覆う８角形の広告表示紙と、当該広告表示紙に１の辺で連接し缶体の上縁部外周を覆う帯紙とからなる紙製広告表示体であって、当該広告表示紙と帯紙が前記１の辺以外の他の辺では相互に組み込み構造を形成すると共に、帯紙の下辺には、缶体Ｃに嵌め込みした際に巻締め部Ｃｍ下縁に係止する複数の係止片を有する、ようにしてもよい。【選択図】  図３
0003126417.tif 000002
【実用新案登録請求の範囲】
【請求項１】
缶体の上蓋部を覆う広告表示紙と、当該広告表示紙に両端で連接し缶体の上縁部外周を覆う帯紙とからなる紙製広告表示体であって、該帯紙は缶体に嵌め込みした際に巻締め部下縁に係止する複数の係止片を有することを特徴とする缶用広告表示体。
【請求項２】
前記広告表示紙が缶の上蓋部に納まる形状であり、円形または６乃至１０角形の用紙からなることを特徴とする請求項１記載の缶用広告表示体。
【請求項３】
前記広告表示紙をその下面で固定する糊付け用紙片を有することを特徴とする請求項１または請求項２記載の缶用広告表示体。
【請求項４】
缶体の上蓋部を覆う８角形の広告表示紙と、当該広告表示紙に１の辺で連接し缶体の上縁部外周を覆う帯紙とからなる紙製広告表示体であって、当該広告表示紙と帯紙が前記１の辺以外の他の辺では相互に組み込み構造を形成すると共に、帯紙の下辺には、缶体に嵌め込みした際に巻締め部下縁に係止する複数の係止片を有することを特徴とする缶用広告表示体。
【請求項５】
複数の係止片が、それぞれ半円形の形状を有し、係止片の数が８であることを特徴とする請求項４記載の缶用広告表示体。
【考案の詳細な説明】
【技術分野】
【０００１】
本考案は、缶ビールや缶ジュースなどの飲料缶等の上蓋部に取り付け（嵌め込み）して使用される販促用の缶用広告表示体に関するものである。
【背景技術】
【０００２】
従来、缶ビールや缶ジュースなどの飲料缶は、例えば、新製品の販促を行うに際して缶自体に何らかの付加的な広告をしたり特典を付けたりするような場合、缶にはペットボトルの首部のような引っかける部分がなく、吊下タイプのラベルを引っかけるようなことができないことから、もっぱら缶の側面にシールを貼り付けることが行われている。
一方、ペットボトルなど首のある容器の場合は、その首に引っかけるタイプのラベルが種々知られている（特許文献１、特許文献２等）が、このタイプのラベルを首部のない飲料缶に適用することはできない。
【０００３】
そこで、缶ビールや缶ジュースなどの飲料缶に対する広告宣伝物の付加方法として、特許文献３、特許文献４、特許文献５等が提案されている。特許文献３は、缶の上蓋内に入れるラベルについて提案し、特許文献４は、缶の上蓋よりも大きなサイズのラベルを使用し、上蓋の外縁に係止させることを提案している。また、特許文献５は、缶の巻締め部に係止させる円弧部を設けることを提案している。
【０００４】
【特許文献１】特開２０００−３５５３１１号公報
【特許文献２】特開２００２−９１３０９号公報
【特許文献３】特開２００５−８４２９７号公報
【特許文献４】特開２００５−１０７４６９号公報
【特許文献５】実用新案登録第３０８９５０２号公報
【考案の開示】
【考案が解決しようとする課題】
【０００５】
しかし、上記の特許文献３〜特許文献５の缶用ラベルでは、上蓋部分に取り付けしても、荷扱いや店頭陳列販売の過程において、抜け落ちしたり破れ易く、十分な宣伝広告効果が得られない問題があった。また、缶側面や上蓋にシールを貼るという手段では手数がかかり、また店頭等においてあまり目立たず販促効果を上げることは難しい問題がある。
そこで、飲料業界にあっては、缶蓋部分に強固に取り付けが可能であって、十分な宣伝広告効果を発揮する缶用ラベルの出現が求められている。
【０００６】
本考案は、このような背景に鑑みてなされたものであり、その目的とするところは、缶体の上蓋部分に簡単に装着でき、しかも係止片を有するので脱落することがなく、優れた販促効果を発揮する缶用ラベルを提供することにある。
【課題を解決するための手段】
【０００７】
上記の目的を達成するため、本考案に係る第１のタイプの缶用広告表示体は、缶体の上蓋部を覆う広告表示紙と、当該広告表示紙に両端で連接し缶体の上縁部外周を覆う帯紙とからなる紙製広告表示体であって、該帯紙は缶体に嵌め込みした際に巻締め部下縁に係止する複数の係止片を有することを特徴としている。
【０００８】
上記缶用広告表示体においては、前記広告表示紙が缶の上蓋部に納まる形状であり、円形または６乃至１０角形の用紙からなるようにすることができ、前記広告表示紙をその下面で固定する糊付け用紙片を有するようにすることもできる。
【０００９】
また、同様の目的を達成するため、本考案に係る第２のタイプの缶用広告表示体は、缶体の上蓋部を覆う８角形の広告表示紙と、当該広告表示紙に１の辺で連接し缶体の上縁部外周を覆う帯紙とからなる紙製広告表示体であって、当該広告表示紙と帯紙が前記１の辺以外の他の辺では相互に組み込み構造を形成すると共に、帯紙の下辺には、缶体に嵌め込みした際に巻締め部下縁に係止する複数の係止片を有することを特徴としている。
【００１０】
上記缶用広告表示体においては、複数の係止片が、それぞれ半円形の形状を有し、係止片の数が８であるようにすることができ、その場合は係止強度の高いものにできる。
【考案の効果】
【００１１】
請求項１の缶用広告表示体は、広告表示紙が上蓋部に形成されているので外観から見易く、さらに、缶の巻締め部下縁に係止する複数の係止片を有しているので、ワンタッチで簡単に取り付けできる。また、店頭陳列販売や荷扱い時においても自然には外れない状態で取り付けすることができる。
【００１２】
請求項２の缶用広告表示体は、上記に加えて広告表示紙が上蓋部に納まる形状にされ、円形または６乃至１０角形の用紙からなるので、装着した状態で缶を積み上げしても、店頭陳列販売や荷扱い時において破損しない状態で取り付けすることができる。
また、請求項３の缶用広告表示体は、広告表示紙をその下面で固定する糊付け用紙片により固定されているので、構造的に強いものとすることができる。
【００１３】
請求項４の缶用広告表示体は、８角形状の広告表示紙が缶体の上縁部外周を覆う帯紙と組み込み構造になっているので、破損し難い強固な構造にでき、装着した状態で広告表示体を把持して缶を持ち上げることもできる。また、缶の巻締め部下縁に係止する複数の係止片を有しているので、ワンタッチで簡単に取り付けできる。また、店頭陳列販売や荷扱い時においても自然には外れない状態で取り付けできる。
【００１４】
請求項５の缶用広告表示体は、係止片が半円形の形状にされ、係止片の数が８のように多数であるので係止強度を高くできる。
【考案を実施するための最良の形態】
【００１５】
図１は、本考案に係る第１のタイプの缶用広告表示体を示す斜視図、図２は、同底面図、図３は、第１のタイプの缶用広告表示体の使用例を示す斜視図、図４は、第１のタイプの缶用広告表示体の変形例を示す斜視図、図５は、本考案に係る第２のタイプの缶用広告表示体を示す斜視図、図６は、同底面図、図７は、第２のタイプの缶用広告表示体の使用例を示す斜視図、図８は、第１のタイプの缶用広告表示体のブランク板を示す図、図９は、同ブランク板の組み立て図、図１０は、第２のタイプの缶用広告表示体のブランク板を示す図、図１１は、同ブランク板の組み立て図、である。
【００１６】
図１は、本考案に係る第１のタイプの缶用広告表示体を示す斜視図である。
図１の缶用広告表示体１０は、印刷済みの板紙を打ち抜いて作製された一枚のブランク板から組み立てられるもので、上蓋部を覆う広告表示紙１１は円形にされている。
広告表示紙１１のサイズは取り付けるべき缶体Ｃ（図３参照）における上蓋部Ｃａと同等の大きさ、あるいは缶の胴径がつくる円形面積と同程度のサイズになっている。
ビール缶等の場合、缶の胴部の直径よりも上蓋部Ｃａの直径はやや小さくされ、缶底の糸尻の直径はなお小さく、上蓋部Ｃａの中に糸尻が納まるようにされている。縦に積み立て易くするためと考えられるが、この胴径（胴の最大径）がつくる面積よりも広告表示紙１１が過度に大きい場合は、缶体Ｃを密接して立てた場合に隣接した缶に接触して広告表示紙１１が変形してしまうことが多くなるからである。
【００１７】
広告表示紙１１は、缶体Ｃの上縁外周を覆う帯紙１２に接続している。接続は広告表示紙１１の対向する２箇所、例えば、上下端部または左右端部Ｓ１，Ｓ２でされるが、帯紙１２に連接して切り抜かれた２枚の用紙の重ね合わせによりされるものである。この場合、下面となる用紙は上面と同形であってもよく、上面の広告表示紙１１を糊で固定するだけの大きさであってもよい。後者の場合は、下面の用紙は糊付け用紙片としての役割のみをするので形状は任意にできる。以下の各図では同形の用紙の場合を図示している。
この組み立て構造の詳細については後述する。帯紙１２にも印刷表示等を設けることができるものである。
【００１８】
アルミ製のビール缶の場合、２５０ｍｌ、３５０ｍｌ、５００ｍｌ缶では、上蓋部外径が５７．３ｍｍ、内径が５６．２ｍｍ程度、胴部直径が６６ｍｍ程度となり、胴部よりも上蓋部直径がやや小さくされている。缶底の糸尻の外径は５３ｍｍ程度となる。
なお、１３５ｍｌ缶では上蓋部外径が５１ｍｍ程度、胴部直径が５３ｍｍ程度となっている。ジュース缶等のスチール缶では、直径５３ｍｍ程度の直円筒状やビール缶と同様に上蓋部が小さくされているもの等がある。
【００１９】
缶用広告表示体１０の底面図は、図２のようになる。図２の場合は、舌状の係止片１３を４枚有しているが、この形状や数は任意に調製できる。缶用広告表示体１０を上蓋部Ｃａに嵌め込みした際に、係止片１３が帯紙１２の内側に反転し、缶体Ｃの上端の巻締め部Ｃｍの下縁に係止するので、缶用広告表示体１０を固定できる。従って、係止片１３の高さｈ１は帯紙１２の幅ｗ１よりは巻締め部Ｃｍの厚みの１〜２ｍｍ程度短かくする。
缶用広告表示体１０を缶体Ｃに取付けした際の各係止片１３が内側に反転する角度の大小により缶胴の各種の径に適合できるので、広告表示紙１１が胴部直径よりも大きくなることを問題にしなければ、２５０ｍｌ缶用に製作した缶用広告表示体１０を１３５ｍｌ缶やジュース用のスチール缶等にも適用することもできる。
【００２０】
図３は、第１のタイプの缶用広告表示体の使用例を示す斜視図である。
図３（Ａ）のように、組み立てした缶用広告表示体１０を缶体Ｃに対して嵌め込みすると、図３（Ｂ）のように、広告表示紙１１がプルトップ部Ｃｐ等の上蓋部Ｃａを隠蔽し、係止片１３が帯紙１２の内側に反転して、巻締め部Ｃｍの下縁に係止するので缶用広告表示体１０を缶体Ｃに簡単に固定できる。このように取り付けられた缶用広告表示体１０は帯紙１２部分を把持して持ち上げても外れることはない。また、缶用広告表示体１０を取り付けた状態でも缶体Ｃを重ね積みできる。
【００２１】
図４は、第１のタイプの缶用広告表示体１０の変形例を示す斜視図である。この例では上蓋部を覆う広告表示紙１１が８角形の形状にされている。このように、広告表示紙１１は多角形状にすることができ、好ましい多角形は、６乃至１０角形となる。変形例の帯紙１２や係止片の構造は、図１の実施形態と同様にできる。
【００２２】
図５は、本考案に係る第２のタイプの缶用広告表示体を示す斜視図である。
図５の缶用広告表示体２０も、印刷済みの板紙を打ち抜いて作製された一枚ものからなるもので、上蓋部を覆う広告表示紙２１は８角形の形状をしている。８角形のサイズ（最大差し渡し径）は取り付けする缶体Ｃにおける上蓋部Ｃａの外径を納める大きさ、あるいは缶の胴径がつくる円形面積と同程度の大きさにする。缶の胴径がつくる面積より過度に大きい場合は、缶体Ｃを密接して立てた場合に変形してしまうことがあるからである。
【００２３】
広告表示紙２１は、缶体Ｃの上縁外周を覆う帯紙２２に８角形の１の辺で接続し、他の辺は組み込みして一体の構造物になるようにされている。従って、全体の外観は８角形の桶蓋の形状となる。この組み立て構造の詳細については後述する。帯紙２２にも広告表示等を設けることができるのも同様である。
【００２４】
缶用広告表示体２０の底面図は、図６のようになる。図６の場合は、半円形の係止片２３を８枚有している。この半円形の係止片２３は強度が高く、８枚あれば強固に缶体Ｃに係止するが、この数や形状は任意に調製できる。この係止片２３により、缶用広告表示体１０を缶体Ｃの上蓋部Ｃａに嵌め込みした際に、係止片２３が帯紙２２の内側に反転し、缶体の上端の巻締め部Ｃｍの下縁に係止するので、缶用広告表示体２０を固定できる。
係止片２３の高さｈ２は、帯紙２２の幅ｗ２よりは、１〜２ｍｍ短い長さとなる。
【００２５】
図７は、第２のタイプの缶用広告表示体の使用例を示す斜視図である。図７（Ａ）のように、組み立てした缶用広告表示体２０を缶体Ｃに対して嵌め込みすると、図７（Ｂ）のように、上蓋部Ｃａを覆う広告表示紙２１がプルトップ部Ｃｐ等の上蓋部を隠蔽し、係止片２３が帯紙２２の内側に反転して、巻締め部Ｃｍの下縁に係止するので缶用広告表示体２１を缶体Ｃに簡単に固定できる。このように嵌め込みされた缶用広告表示体２０は、帯紙２２を把持して持ち上げても外れることはない。
【００２６】
図８は、第１のタイプの缶用広告表示体のブランク板を示す図、図９は、同ブランク板の組み立て図、である。なお、ブランク板とは、印刷紙を打ち抜いて作製された一枚ものの板紙をいう。缶用広告表示体１０のブランク板は、２枚の上蓋部Ｃａを覆う広告表示紙１１Ａ，１１Ｂが直線状に伸びた帯紙１２に接続した状態で打ち抜きされる。
広告表示紙１１は、例えば直径６４ｍｍの円形等にできるが、形状は前記のように多角形状であってもよい。この広告表示紙１１Ａ，１１Ｂの接続点Ｓ１，Ｓ２間の距離は上蓋部の円周の半分程度の長さになるようにされている。
【００２７】
広告表示紙１１Ａを上面とし、１１Ｂを下面用紙とする場合は、前記のように、下面用紙１１Ｂは、広告表示紙１１Ａを糊付けして固定する糊付け用紙片と考えてよい。この場合は、糊付け面積を有すればよく円形等に限られず任意の形状にできる。
帯紙１２は、両端部を重ねて接着しリング形状にして使用するものである。当該リングの直径が、缶体上縁外周に嵌め込みできる大きさにする。例えば、帯紙１２は、幅１５ｍ〜２０ｍｍ程度とし、長さは、缶胴の円周よりは１５ｍｍ〜２０ｍｍ程度長くして、両端部間を接着できる余地を残すようにする。帯紙１２の広告表示紙１１Ａ，１１Ｂとは反対側には、複数の係止片１３を有している。図８の場合、４つの片であるが数はもっと多くても構わない。
【００２８】
ブランク板を組み立てする場合は、図９（Ａ）のように帯紙１２の両端間を接着した後、２枚の広告表示紙１１Ａ，１１Ｂを重ね合わせ、両表示紙間を糊付けして接着する。
係止片１３は、帯紙１２が形成する環の内側に向けて、帯紙１２との付け根の破線（押し罫）部分で折り曲げする。これにより、第１のタイプの缶用広告表示体１０が完成する（図９（Ｂ））。
用紙には上質紙や板紙を使用でき、耐水性を持たせたものでもよい。缶の積み立て性等から余り厚くなくてもよく、８０〜２００ｇ／ｍ2 程度のものが適当と考えられる。
【００２９】
図１０は、第２のタイプの缶用広告表示体のブランク板を示す図、図１１は、同ブランク板の組み立て図、である。このブランク板も一枚ものの板紙からなっている。
第２のタイプでは、上蓋部を覆う広告表示紙２１は、８角形の１枚の板紙からなっている。８角形の形状の１の辺は、直線状に伸びた帯紙２２に接続しており、当該１の辺から１つ置き毎の辺になる他の３辺には差し込み片２４が接続している。差し込み片２４は付け根部分の破線（押し罫）から直角に折り曲げして使用する。広告表示紙２１は、例えば最大差し渡しが、６５ｍｍの正８角形にできる。形状は他の多角形状でも可能であるが、缶体Ｃの上蓋部Ｃａに合致した形状としては８角形が適切である。
【００３０】
帯紙２２の差し込み片２４が差し込まれる部分は、直線状に切断されており、差し込み片２４に対面しない辺には、広告表示紙２１を受ける支持片２５が形成されている。支持片２５は帯紙２２の破線（押し罫）から直角に曲げて使用する。当該支持片２５は、広告表示紙２１の下面側になる用紙で外観からは見えないから、形状等は統一されていなくてもよい。図１０の場合、支持片２５ａ，２５ｂは、打ち抜きした残りの部分の形状のままにされている。帯紙２２の支持片２５とは反対側には、缶体の巻締め部Ｃｍ下縁に係止する係止片２３が形成されている。図１０の場合、半円形の８個の係止片２３が形成されているが、４個にしてもよく、他の形状にしてもよい。ただし、図１０のように半円形にすれば頑丈な係止片になる。係止片２３の高さｈ２は、帯紙２２の幅ｗ２よりも１〜２ｍｍ短い長さにする。前記のように巻締め部Ｃｍの厚みを考慮するものである。
【００３１】
図１０のブランク板を組み立てする場合は、図１１（Ａ）のように帯紙２２を８角形に折り曲げ、両端間を接着した後、広告表示紙２１の組み込み構造を形成する差し込み片２４を帯紙２２に沿って交互に差し込みする。係止片２３は、帯紙２２が形成するリングの内側に向けて、帯紙２２との付け根部分の破線（押し罫）で折り曲げする。これにより、第２のタイプの缶用広告表示体２０が完成する（図１１（Ｂ））。
【実施例１】
【００３２】
＜第１のタイプの缶用広告表示体＞
印刷工程において、坪量１２０ｇ／ｍ2 の板紙（三菱製紙株式会社製「耐水紙」）の表面に多面付けにより絵柄を多色印刷した。絵柄は、ビールの新製品キャンペーン等のものとした。次に、打ち抜き工程において、図８のブランク板の形状に打ち抜きした。
なお、上蓋部を覆う広告表示紙１１Ａ，１１Ｂは共に直径６４ｍｍの円形とした。帯紙１２は、幅１５ｍｍで、長さが２０７ｍｍの直線状になるようにし糊付け部分１５ｍｍを付加する合計長さが２２２ｍｍの長さになるようにした。係止片１３は高さ１４ｍｍ、幅１０ｍｍとなるようにし、４片設けた。
打ち抜き後、帯紙１２の両端間は両面粘着テープで接着し、広告表示紙１１Ａ，１１Ｂを帯紙１２の作るリングの内側に折り曲げして両表示紙を重ね合わせ、その間を接着剤で接着した。これにより本考案の第１のタイプの缶用広告表示体１０が完成した。
【実施例２】
【００３３】
＜第２のタイプの缶用広告表示体＞
印刷工程において、坪量１２０ｇ／ｍ2 の板紙（三菱製紙株式会社製「耐水紙」）の表面に多面付けにより絵柄を多色印刷した。絵柄は、ビールの新製品キャンペーン等のものとした。次に、打ち抜き工程において、図１０のブランク板の形状に打ち抜きした。
なお、上蓋部を覆う広告表示紙２１は一辺が２７ｍｍの正８角形になるようにした。帯紙１２は、幅１８ｍｍの直線状になるようにし糊付け部分１５ｍｍを付加する合計２２９ｍｍの長さになるようにした。係止片１３は、底辺の幅２５ｍｍで、高さ１４ｍｍの略半円形となるようにし、図１０のように８つの片を設けた。
打ち抜き後、帯紙２２を折り線で８角形に折り曲げしてから両端間を両面粘着テープで接着し、広告表示紙２１の各差し込み片２４を帯紙２２の作る８角形の外枠内に差し込みした。これにより本考案の第２のタイプの缶用広告表示体２０が完成した。
【産業上の利用可能性】
【００３４】
上記した本考案の缶用広告表示体１０，２０は、上質紙や板紙製として低コスト、環境対応とすることができる。或いは、樹脂系の材料で作製するなど、必要に応じて耐水性を持たせることもできる。さらには、マットコート紙を用いてインクジェット印刷を可能にすることもできる。広告表示紙の表面や裏面にスクラッチ印刷による籤を設けたり、ポイント券を印刷することもできる。
【００３５】
本考案の缶用広告表示体は、一般に用いられているプルトップ型のアルミ缶、スチール缶の何れにも対応することができる。そして、缶ビールや缶ジュースなどの飲料缶に販促用として取り付けて使用するのが好適である。
【図面の簡単な説明】
【００３６】
【図１】本考案に係る第１のタイプの缶用広告表示体を示す斜視図である。
【図２】同底面図である。
【図３】第１のタイプの缶用広告表示体の使用例を示す斜視図である。
【図４】第１のタイプの缶用広告表示体の変形例を示す斜視図である。
【図５】本考案に係る第２のタイプの缶用広告表示体を示す斜視図である。
【図６】同底面図である。
【図７】第２のタイプの缶用広告表示体の使用例を示す斜視図である。
【図８】第１のタイプの缶用広告表示体のブランク板を示す図である。
【図９】同ブランク板の組み立て図である。
【図１０】第２のタイプの缶用広告表示体のブランク板を示す図である。
【図１１】同ブランク板の組み立て図である。
【符号の説明】
【００３７】
１０，２０  缶用広告表示体
１１，２１  広告表示紙
１２，２２  帯紙
１３，２３  係止片
２４  差し込み片
２５，２５ａ，２５ｂ  支持片
Ｃ    缶体
Ｃａ  上蓋部
Ｃｐ  プルトップ部
Ｃｍ  巻締め部
【図１】
0003126417.tif 000003
【図２】
0003126417.tif 000004
【図３】
0003126417.tif 000005
【図４】
0003126417.tif 000006
【図５】
0003126417.tif 000007
【図６】
0003126417.tif 000008
【図７】
0003126417.tif 000009
【図８】
0003126417.tif 000010
【図９】
0003126417.tif 000011
【図１０】
0003126417.tif 000012
【図１１】
0003126417.tif 000013